(57)【要約】【課題】局所高速無線通信インタフェースと、ユーザ操作を受け付けるユーザインタフェースとを有する端末について、ユーザが体感する発信時間を短くすることができる端末等を提供する。【解決手段】端末は、局所高速無線通信インタフェースの電源をオン／オフする電源制御手段と、ユーザインタフェースに、通信開始想定操作が実行されたか否かを判定する通信起動判定手段と、通信開始想定操作が実行された際に、電源制御手段へ局所高速無線通信インタフェースの電源オンを指示する電源オン指示手段とを有する。通信開始想定操作とは、当該端末に保持されたアドレス帳閲覧操作、発信／着信履歴閲覧操作、又は電子メール作成操作である。【選択図】図３
2010041342.tif 000002
【特許請求の範囲】
【請求項１】
局所高速無線通信ネットワークに接続する局所高速無線通信インタフェースと、ユーザ操作を受け付けるユーザインタフェースとを有する端末において、
前記局所高速無線通信インタフェースの電源をオン／オフする電源制御手段と、
前記ユーザインタフェースに、通信開始想定操作が実行されたか否かを判定する通信起動判定手段と、
前記通信開始想定操作が実行された際に、前記電源制御手段へ前記局所高速無線通信インタフェースの電源オンを指示する電源オン指示手段と
を有することを特徴とする端末。
【請求項２】
前記局所高速無線通信インタフェースは、無線ＬＡＮインタフェース又はブルートゥースインタフェースであり、
前記ユーザインタフェースに対する前記通信開始想定操作とは、当該端末に保持されたアドレス帳閲覧操作、発信／着信履歴閲覧操作、又は電子メール作成操作であることを特徴とする請求項１に記載の端末。
【請求項３】
前記電源制御手段が、前記局所高速無線通信インタフェースに前記電源オンの指示をした後に、
アクセスポイントに対する無線アソシエーションを実行する無線接続手段と、
ＤＨＣＰ(Dynamic Host Configuration Protocol)サーバにＩＰアドレス取得要求を送信するＩＰアドレス取得手段と
が一連で実行されることを特徴とする請求項１又は２に記載の端末。
【請求項４】
前記ＩＰアドレス取得手段は、前記ＤＨＣＰサーバからＩＰアドレスを取得した後、リース期間内であれば、前記ＩＰアドレス取得要求を送信しないことを特徴とする請求項３に記載の端末。
【請求項５】
前記通信開始想定操作が、呼接続を要する操作である場合、
ＳＩＰ(Session Initiation Protocol)サーバにSIP REGISTERメソッドを送信する登録要求手段を更に実行し、
前記ユーザインタフェースに対する呼接続操作が実行された際に、前記ＳＩＰサーバへ呼接続要求(INVITE)を送信する呼接続要求手段が実行される
ことを特徴とする請求項１から４のいずれか１項に記載の端末。
【請求項６】
前記登録要求手段は、前記ＳＩＰサーバに登録要求を送信した後、登録有効期間内であれば、前記登録要求を送信しないことを特徴とする請求項５に記載の端末。
【請求項７】
前記通信開始想定操作が、メッセージ交換を要する操作である場合であって、前記ユーザインタフェースに対するメッセージ交換操作が実行された際に、サーバとの間でメッセージを交換するメッセージ送受信手段が実行されることを特徴とする請求項１から４のいずれか１項に記載の端末。
【請求項８】
前記ユーザインタフェースに対して前記通信開始想定操作が中止された際に、又は、前記局所高速無線通信インタフェースを介した通信が終了した際に、前記電源制御手段へ、前記局所高速無線通信インタフェースの電源オフを指示する電源オフ指示手段を更に有することを特徴とする請求項１から７のいずれか１項に記載の端末。
【請求項９】
局所高速無線通信ネットワークに接続する局所高速無線通信インタフェースと、ユーザ操作を受け付けるユーザインタフェースとを有する端末に搭載されたコンピュータを機能させるプログラムにおいて、
前記局所高速無線通信インタフェースの電源をオン／オフする電源制御手段と、
前記ユーザインタフェースに、通信開始想定操作が実行されたか否かを判定する通信起動判定手段と、
前記通信開始想定操作が実行された際に、前記電源制御手段へ前記局所高速無線通信インタフェースの電源オンを指示する電源オン指示手段と
してコンピュータを機能させることを特徴とする端末用のプログラム。
【請求項１０】
局所高速無線通信ネットワークに接続する局所高速無線通信インタフェースと、ユーザ操作を受け付けるユーザインタフェースとを有する端末における発信方法において、
前記ユーザインタフェースに、通信開始想定操作が実行されたか否かを判定する第１のステップと、
前記通信開始想定操作が実行された際に、電源制御部によって前記局所高速無線通信インタフェースの電源をオンにする第２のステップと
を有することを特徴とする発信方法。
【発明の詳細な説明】
【技術分野】
【０００１】
本発明は、ユーザが体感する発信時間を短くする端末、プログラム及び方法に関する。例えば、携帯電話機のような端末が、無線ＬＡＮ(Local Area Network)インタフェース又はブルートゥースのような局所高速無線通信インタフェースを用いて呼接続をする技術に関する。
【背景技術】
【０００２】
広域通信としては、携帯電話網（又はＰＨＳ(Personal Handyphone System)網）が普及し、局所通信としては、ＩＥＥＥ８０２．１１ａ／ｂ／ｇに代表される無線ＬＡＮやブルートゥースが普及している。このような通信環境に対応して、移動端末（携帯電話機、携帯端末(ＰＤＡ：Personal Digital Assistant)及びパーソナルコンピュータを含む）が、携帯電話網通信インタフェースと、局所高速無線通信インタフェースとの両方を備えたものも普及してきている。このような移動端末は、屋外では携帯電話網を利用し、構内では例えば無線ＬＡＮを利用することができる。通信方式自体も、将来的には、ＷｉＭＡＸ(Worldwide Interoperability for Microwave Access)、ＬＴＥ(Long Term Evolution)、又はＵＭＢ(Ultra Mobile Broadband)のような多種多様な方式が提供されると予想される。
【０００３】
ここで、移動端末は、可搬性を有するために小型であって且つ電池で駆動されているので、その連続使用時間に直結する消費電力の低減が常に問題となる。通常、ユーザの操作に応じて、必要なアプリケーションが実行された際に、適切な通信インタフェースの電源がオンにされる。例えば、局所高速無線通信インタフェースによる消費電力は、携帯且つ小型の移動端末にとっては、そのバッテリの容量から無視できないものだからである。ユーザ操作に応じて、局所高速無線通信インタフェースの電源をオン／オフすることによって低消費電力を実現している。
【０００４】
例えば、複数の通信インタフェースについて、電力消費の大きい無線ＬＡＮインタフェースの電源をオフにし、携帯電話網通信インタフェースだけは常にオンにしておく技術がある（例えば特許文献１及び２参照）。この技術によれば、移動端末は、相手方端末からの呼を、常に、携帯電話網を介して携帯電話網通信インタフェースによって着呼する。この時、この移動端末は、無線ＬＡＮインタフェースの電源をオンにし、無線ＬＡＮインタフェースを用いて無線ＬＡＮを介して相手方端末へコールバック（発呼）する。これによって、呼接続の待ち受け時に、無線ＬＡＮインタフェースの電源をオフにしておくことによって、消費電力の低減を実現している。
【０００５】
図１は、対象システムの構成図である。
【０００６】
図１によれば、構内ＬＡＮ２が構成されており、アクセスポイント２１と、ＤＨＣＰ(Dynamic Host Configuration Protocol)サーバ２２と、ＩＰ−ＰＢＸ(Internet Protocol - Private Branch Exchange)（構内ＳＩＰ(Session Initiation Protocol)サーバ）２３と、ルータ２４とが接続されている。また、携帯電話機１は、セルラ（広域）通信ネットワークに接続するセルラ通信インタフェースと、無線ＬＡＮ通信ネットワークに接続する無線ＬＡＮインタフェースとを有する。携帯電話機１は、無線リンクを介して無線アクセスポイント２１と通信し、構内ＬＡＮ２に接続することができる。
【０００７】
ＤＨＣＰサーバ２２は、携帯電話機１（ＤＨＣＰクライアント）からアドレス取得要求を受信した際に、ＩＰアドレス及び設定情報を応答するものであり、ネットワークの自動設定のためのサーバである。アドレス応答には、ＩＰアドレスの有効期間を表すリース期間も含まれている。このリース期間内に、携帯電話機１は、アドレス更新要求を、再度、ＤＨＣＰサーバ２２へ送信する必要がある。
【０００８】
ＩＰ−ＰＢＸ２３は、ＩＰネットワークにおけるＩＰ電話端末の回線交換機として機能し、企業又は宅内等の組織内ＬＡＮにおけるＩＰ電話の内線電話網を実現する。特に、ＩＰ−ＰＢＸは、広域通信ネットワークのＷＡＮ(Wide Area Network)と、ＬＡＮとの間の回線交換機能も有する。尚、ＩＰ−ＰＢＸ２３は、端末からの発呼要求を受け付けるために、構内交換装置としてのＳＩＰサーバである。
【０００９】
ルータ２４は、広域通信ネットワークであるインターネット３と、構内ＬＡＮ２とを相互接続する。
【００１０】
携帯電話機１は、一般に、ユーザが発信しようとする際に、「アドレス帳」のアプリケーションを起動し、ユーザに着呼者を選択させる。そして、ユーザが、発信ボタンを押下した際に、発信シーケンスの実行が開始される。
【００１１】
図２は、従来技術におけるシーケンス図である。
【００１２】
最初に、携帯電話機１における無線ＬＡＮインタフェースは、電源オフの状態であるとする。
（Ｓ２０１）ユーザは、発信する際に、携帯電話機１を操作して、「アドレス帳」のアプリケーションを開く。
（Ｓ２０２）次に、ユーザは、携帯電話機１を操作して、着呼者を選択する。
（Ｓ２０３）次に、選択された着呼者に対して発信するべく、携帯電話機１の発信ボタンが押下される。ユーザは、発信ボタンを押下した後から着呼者がオフフックするまでの時間を、呼接続時間として認識する。
【００１３】
（Ｓ２１０）携帯電話機１は、発信ボタンが押下された際に、無線ＬＡＮインタフェースの電源をオンにする。
【００１４】
（Ｓ２１１）携帯電話機１は、構内ＬＡＮ２に接続されたアクセスポイント２１を発見し、無線アソシエーションによって無線リンクを確立する。
【００１５】
（Ｓ２１２）次に、携帯電話機１は、アクセスポイント２１を介して、ＤＨＣＰサーバ２２へ、アドレス取得要求を送信し、その応答としてアドレスを取得する。このとき、携帯電話機１は、ＤＨＣＰのリース期間も取得する。携帯電話機１は、ＤＨＣＰリース期間のためのタイマを起動し、時間を計測する。
【００１６】
（Ｓ２１３）次に、携帯電話機１は、アクセスポイント２１を介して、ＩＰ−ＰＢＸ２３へ、「登録要求」を送信する。ＩＰ−ＰＢＸ２３は、構内交換装置としてのＳＩＰサーバであるので、「登録要求」は、例えばSIP REGISTERメソッドである。「登録要求」を受信したＩＰ−ＰＢＸ２３は、登録応答(200OK)を、携帯電話機１へ返信する。
【００１７】
（Ｓ２１４）携帯電話機１は、呼接続要求となるSIP INVITEを、ＩＰ−ＰＢＸ２３へ送信する。これに応答して、ＩＰ−ＰＢＸ２３は、100Trying及び180Ringingを返信する。また、ＩＰ−ＰＢＸ２３は、INVITEを、ルータ２４を介して着呼端末へ向けて送信する。また、ＩＰ−ＰＢＸ２３は、200OKを携帯電話機１へ送信し、携帯電話機１は、携帯電話機１からACKを受信する。
【００１８】
（Ｓ２１５）これによって、ＩＰ−ＰＢＸ２３は、携帯電話機１と着呼端末との間で、呼接続を完了する。
【００１９】
【特許文献１】特開２００５−１０９８５０号公報
【特許文献２】特開２００６−０２５００９号公報
【発明の開示】
【発明が解決しようとする課題】
【００２０】
しかしながら、特許文献１及び２に記載された技術によれば、待ち受け時における無線ＬＡＮインタフェースの低消費電力化を実現するものであって、発信時における発信時間の短縮化については全く検討されていない。特に、無線ＬＡＮインタフェースの場合、その電源をオンにした後、複数のシーケンスを実行した後でなければ、呼接続要求を送信することができない。具体的には、図２のように、発信ボタンを押下（Ｓ２０３）した後、呼接続が完了（Ｓ２１５）するまでの時間は数十秒を要し、ユーザにおける即応性の体感性能は低減していた。
【００２１】
そこで、本発明は、局所高速無線通信インタフェースと、ユーザ操作を受け付けるユーザインタフェースとを有する端末について、ユーザが体感する発信時間を短くすることができる端末等を提供することを目的とする。
【課題を解決するための手段】
【００２２】
本発明によれば、局所高速無線通信ネットワークに接続する局所高速無線通信インタフェースと、ユーザ操作を受け付けるユーザインタフェースとを有する端末において、
局所高速無線通信インタフェースの電源をオン／オフする電源制御手段と、
ユーザインタフェースに、通信開始想定操作が実行されたか否かを判定する通信起動判定手段と、
通信開始想定操作が実行された際に、電源制御手段へ局所高速無線通信インタフェースの電源オンを指示する電源オン指示手段と
を有することを特徴とする。
【００２３】
本発明の端末における他の実施形態によれば、
局所高速無線通信インタフェースは、無線ＬＡＮインタフェース又はブルートゥースインタフェースであり、
ユーザインタフェースに対する通信開始想定操作とは、当該端末に保持されたアドレス帳閲覧操作、発信／着信履歴閲覧操作、又は電子メール作成操作であることも好ましい。
【００２４】
本発明の端末における他の実施形態によれば、
電源制御手段が、局所高速無線通信インタフェースに電源オンの指示をした後に、
アクセスポイントに対する無線アソシエーションを実行する無線接続手段と、
ＤＨＣＰサーバにＩＰアドレス取得要求を送信するＩＰアドレス取得手段と
が一連で実行されることも好ましい。
【００２５】
本発明の端末における他の実施形態によれば、ＩＰアドレス取得手段は、ＤＨＣＰサーバからＩＰアドレスを取得した後、リース期間内であれば、ＩＰアドレス取得要求を送信しないことも好ましい。
【００２６】
本発明の端末における他の実施形態によれば、
通信開始想定操作が、呼接続を要する操作である場合、
ＳＩＰサーバにSIP REGISTERメソッドを送信する登録要求手段を更に実行し、
ユーザインタフェースに対する呼接続操作が実行された際に、ＳＩＰサーバへ呼接続要求(INVITE)を送信する呼接続要求手段が実行されることも好ましい。
【００２７】
本発明の端末における他の実施形態によれば、登録要求手段は、ＳＩＰサーバに登録要求を送信した後、登録有効期間内であれば、登録要求を送信しないことも好ましい。
【００２８】
本発明の端末における他の実施形態によれば、通信開始想定操作が、メッセージ交換を要する操作である場合であって、ユーザインタフェースに対するメッセージ交換操作が実行された際に、サーバとの間でメッセージを交換するメッセージ送受信手段が実行されることも好ましい。
【００２９】
本発明の端末における他の実施形態によれば、ユーザインタフェースに対して通信開始想定操作が中止された際に、又は、局所高速無線通信インタフェースを介した通信が終了した際に、電源制御手段へ、局所高速無線通信インタフェースの電源オフを指示する電源オフ指示手段を更に有することも好ましい。
【００３０】
本発明によれば、局所高速無線通信ネットワークに接続する局所高速無線通信インタフェースと、ユーザ操作を受け付けるユーザインタフェースとを有する端末に搭載されたコンピュータを機能させるプログラムにおいて、
局所高速無線通信インタフェースの電源をオン／オフする電源制御手段と、
ユーザインタフェースに、通信開始想定操作が実行されたか否かを判定する通信起動判定手段と、
通信開始想定操作が実行された際に、電源制御手段へ局所高速無線通信インタフェースの電源オンを指示する電源オン指示手段と
してコンピュータを機能させることを特徴とする。
【００３１】
本発明によれば、局所高速無線通信ネットワークに接続する局所高速無線通信インタフェースと、ユーザ操作を受け付けるユーザインタフェースとを有する端末における発信方法において、
ユーザインタフェースに、通信開始想定操作が実行されたか否かを判定する第１のステップと、
通信開始想定操作が実行された際に、電源制御部によって局所高速無線通信インタフェースの電源をオンにする第２のステップと
を有することを特徴とする。
【発明の効果】
【００３２】
本発明の端末、プログラム及び方法によれば、局所高速無線通信インタフェースを介した発信接続について、ユーザが体感するその発信時間を短くすることができる。
【発明を実施するための最良の形態】
【００３３】
以下では、図面を用いて、本発明を実施するための最良の形態について詳細に説明する。
【００３４】
図３は、本発明における第１のシーケンス図である。以下では、図２と比較して相違する点のみを説明する。尚、以下では、局所高速通信無線インタフェースが無線ＬＡＮインタフェースであるものとして説明するが、勿論、ブルートゥースであってもよい。
【００３５】
最初に、携帯電話機１における無線ＬＡＮインタフェースは、電源オフの状態であるとする。
（Ｓ２０１）ユーザが、携帯電話機１を用いて発呼するために、「アドレス帳」のアプリケーションを開いたとする。ここで、携帯電話機１のアプリケーションに対する「アドレス帳を開く」という操作は、「通信開始想定操作」と認識される。「通信開始想定操作」とは、直ぐに通信を開始するものでは無いが、その後、ユーザが通信開始操作を実行するであろうと想定される操作である。尚、通信開始想定操作には、呼接続を要する操作と、呼接続を要することなくメッセージ交換のみを要する操作とがある。
【００３６】
通信開始想定操作は、例えば、以下の表１のような条件テーブルに登録される。この条件テーブルに登録された通信開始想定操作が実行された際に、動作イベントに登録されたように無線ＬＡＮインタフェースの電源をオンにする。
【表１】
2010041342.tif 000003
【００３７】
勿論、（１）アドレス帳から通話先が指定完了したとき、（２）ユーザが発信（着信）履歴から通話先を指定完了したとき、（３）メールの一部又は全部の記入を完了したとき（任意のフィールドの記入完了）など、様々な条件を設定することができる。
【００３８】
例えば、以下の表２のような条件テーブルを、更に備える。この条件テーブルは、ユーザインタフェースに対して通信開始想定操作が中止された際に、又は、無線ＬＡＮ通信インタフェースを介した通信が終了した際に、動作イベントに登録されたように無線ＬＡＮインタフェースの電源をオフにする。
【表２】
2010041342.tif 000004
【００３９】
表２によれば、条件番号６〜９は、ユーザインタフェースに対して通信開始想定操作が中止された場合である。例えば、ユーザが、携帯電話機１を用いて「アドレス帳」等のアプリケーションを開いたにも拘わらず、結局、そのアプリケーションを閉じた場合である。この場合、本発明によれば、通信開始想定操作が実行されると、直ぐに局所高速無線通信インタフェースの電源をオンにするが、結局、その操作が中止されれば、局所高速無線通信インタフェースの電源をオフにする必要がある。
【００４０】
表２によれば、条件番号１０及び１１は、局所高速無線通信インタフェースを介した通信が終了した場合である。具体的には、アプリケーションにおける通信終了であってもよいし、通話終了要求BYEやその応答200OKの検出であってもよい。この場合も、局所高速無線通信インタフェースの電源をオフにするのが好ましい。
【００４１】
（Ｓ２１０）携帯電話機１は、「通信開始想定操作」が実行されたと判断した際に、無線ＬＡＮインタフェースの電源をオンにする。
【００４２】
（Ｓ２１１）携帯電話機１は、構内ＬＡＮ２に接続されたアクセスポイント２１を発見し、無線アソシエーションによって無線リンクを確立する。
（Ｓ２１２）次に、携帯電話機１は、アクセスポイント２１を介して、ＤＨＣＰサーバ２２へ、アドレス取得要求を送信し、その応答としてアドレスを取得する。アドレス取得応答には、アドレスのリース期間が含まれている。携帯電話機１は、そのリース期間をタイマで計測する。
【００４３】
（Ｓ２１３）次に、通信開始想定操作が、呼接続を要する操作である場合、携帯電話機１は、アクセスポイント２１を介して、ＩＰ−ＰＢＸ２３へ、「登録要求」を送信する。「登録要求」を受信したＩＰ−ＰＢＸ２３は、登録応答(200OK)を、携帯電話機１へ返信する。登録応答には、登録有効期間が含まれている。登録有効期間は、例えばExpiresヘッダの数値又はContactヘッダのexpiresパラメータに記述されている。ここで、登録有効期間は、一般に、ＤＨＣＰのリース期間よりも短い。携帯電話機１は、その登録有効期間をタイマで計測する。
【００４４】
尚、通信開始想定操作が、例えば、メールの送受信のようなメッセージ交換を要する操作である場合、「登録要求」は送信されない。
【００４５】
通常、Ｓ２１１〜Ｓ２１３のシーケンスの実行に、数十秒を要する。本発明によれば、携帯電話機１は、Ｓ２１１〜Ｓ２１３のシーケンス中に、ユーザに対して、着呼者の選択（Ｓ２０２）の操作をさせることができる。
【００４６】
（Ｓ２０３）その後、携帯電話機１に対して「発信ボタン」が押下されたとする。このとき、既にＳ２１２〜Ｓ２１３のシーケンスは実行済みである。
【００４７】
（Ｓ２１０）通信開始想定操作が、呼接続を要する操作である場合、携帯電話機１は、発信ボタンが押下されると直ぐに、呼接続要求となるSIP INVITEを、ＩＰ−ＰＢＸ２３へ送信する。尚、通信開始想定操作が、メッセージ交換を要する操作である場合、呼接続要求は送信されず、例えばメールサーバへ直ぐにアクセスする。
【００４８】
（Ｓ２１５）これによって、ＩＰ−ＰＢＸ２３は、携帯電話機１と着呼端末との間で、呼接続を完了する。
【００４９】
図４は、本発明における第２のシーケンス図である。
【００５０】
図４によれば、ＤＨＣＰのリース期間中であり、且つ、登録有効期間中である場合が表されている。この場合、ＤＨＣＰサーバ２２へ、アドレス取得要求を再度送信する必要なく、先に取得したＩＰアドレスを利用することができる。また、ＩＰ−ＰＢＸ２３へ、登録要求を再度送信する必要もない。従って、図４は、図３と比較して、無線ＬＡＮインタフェースの電源をオンした後（Ｓ２１０）、無線アソシエーション（Ｓ２１１）を実行するだけである。その後、ユーザによって「発信ボタン」が押下された際に、携帯電話機１は、呼接続要求をＩＰ−ＰＢＸ２３へ直ぐに送信することができる。
【００５１】
図５は、本発明における第３のシーケンス図である。
【００５２】
図５によれば、ＤＨＣＰのリース期間中であるが、登録有効期間を既に経過している場合が表されている。この場合、ＤＨＣＰサーバ２２へ、アドレス取得要求を再度送信する必要なく、先に取得したＩＰアドレスを利用することができる。但し、ＩＰ−ＰＢＸ２３へ、登録要求を再度送信する必要がある。従って、図５は、図３と比較して、無線ＬＡＮインタフェースの電源をオンした後（Ｓ２１０）、無線アソシエーション（Ｓ２１１）に加えて、登録要求の送信が実行される。但し、ＤＨＣＰサーバ２２に対するＩＰアドレス取得要求は送信されない。その後、ユーザによって「発信ボタン」が押下された際に、携帯電話機１は、呼接続要求をＩＰ−ＰＢＸ２３へ直ぐに送信することができる。
【００５３】
図６は、本発明における端末の機能構成図である。
【００５４】
携帯電話機１は、広域通信ネットワークに接続する広域通信インタフェース１０１と、構内ＬＡＮに接続する無線ＬＡＮインタフェース１０２と、電源制御部１０３と、ユーザインタフェース１０４と、呼接続通信又はメール交換通信を実行する通信処理部１０５と、通信起動判定部１０６と、電源オン指示部１０７と、電源オフ指示部１０８と、無線接続部１１０と、ＩＰアドレス取得部１１１と、登録要求部１１２と、呼接続要求部１１３とを有する。広域通信インタフェース１０１及び無線ＬＡＮインタフェース１０２を除いて、これら機能構成部は、移動端末に搭載されたコンピュータを機能させるプログラムを実行することによって実現される。
【００５５】
電源制御部１０３は、無線ＬＡＮインタフェース１０２の電源をオン／オフする。
【００５６】
ユーザインタフェース１０４は、少なくとも条件テーブル（表１）に登録されたユーザ操作を受け付ける。携帯電話機の場合、ユーザ操作を受け付けるインタフェースは、テンキー（又はタッチパネル）である。
【００５７】
通信起動判定部１０６は、ユーザインタフェース１０４を介して、「通信開始想定操作」が実行されたか否かを常に監視する。ここで、「通信開始想定操作」とは、携帯電話機１に保持されたアドレス帳閲覧操作、発信／着信履歴閲覧操作、又は電子メール作成操作である。通信開始想定操作は、条件テーブルに予め記憶されたものである。
【００５８】
電源オン指示部１０７は、通信開始想定操作が実行された際に、電源制御部１０３へ無線ＬＡＮインタフェース１０２の電源オンを指示する。
【００５９】
電源オフ指示部１０８は、ユーザインタフェースに対して通信開始想定操作が中止された際に、又は、無線ＬＡＮ通信インタフェース１０２を介した通信が終了した際に、電源制御部１０３へ無線ＬＡＮインタフェース１０２の電源オフを指示する。
【００６０】
無線接続部１１０は、アクセスポイントに対する無線アソシエーションを実行する。ＩＰアドレス取得部１１１は、ＤＨＣＰサーバにＩＰアドレス取得要求を送信する。登録要求部１１２は、ＳＩＰサーバにSIP REGISTERメソッドを送信する。無線接続部１１０、ＩＰアドレス取得部１１１及び登録要求部１１２は、電源制御部１０３によって無線ＬＡＮインタフェースに対して電源がオンにされた後に、一連で実行される。但し、ＩＰアドレス取得部１１１は、ＤＨＣＰサーバからＩＰアドレスを取得した後、リース期間内であれば、ＩＰアドレス取得要求を送信しない。また、登録要求部１１２は、ＳＩＰサーバに登録要求を送信した後、登録有効期間内であれば、登録要求を送信しない。これによって、無駄なシーケンスの実行をできる限り回避している。
【００６１】
呼接続要求部１１３は、通信開始想定操作が呼接続を要する操作である場合、ユーザインタフェース１０４に対する発信操作が実行された際に、ＳＩＰサーバへ呼接続要求(INVITE)を送信する。
【００６２】
以上、詳細に説明したように、本発明の端末、プログラム及び方法によれば、局所高速無線通信インタフェースを介した発信接続について、ユーザが体感するその発信時間を短くすることができる。本発明によれば、ユーザが発信開始想定操作を実行してから、発信ボタンを押下するまでの間に、無線ＬＡＮにおける発信接続に必要な前提シーケンスを予め実行しておくことによって、実際に発信ボタンが押下された際に、直ぐに呼接続要求を送信することができるようにしている。このように、ユーザが体感するその発信時間を短くすることによって、例えば携帯電話機の無線ＬＡＮインタフェースを常にオフにしておくことが可能となる。これは、携帯電話機における低消費電力化を実現する。
【００６３】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【図面の簡単な説明】
【００６４】
【図１】対象システムの構成図である。
【図２】従来技術におけるシーケンス図である。
【図３】本発明における第１のシーケンス図である。
【図４】本発明における第２のシーケンス図である。
【図５】本発明における第３のシーケンス図である。
【図６】本発明における端末の機能構成図である。
【符号の説明】
【００６５】
１  携帯電話機、携帯端末、移動端末
１０１  広域通信インタフェース
１０２  無線ＬＡＮインタフェース
１０３  電源制御部
１０４  ユーザインタフェース
１０５  通信処理部
１０６  通信起動判定部
１０７  電源オン指示部
１０８  電源オフ指示部
１１０  無線接続部
１１１  ＩＰアドレス取得部
１１２  登録要求部
１１３  呼接続要求部
２  構内ＬＡＮ
２１  アクセスポイント
２２  ＤＨＣＰサーバ
２３  ＩＰ−ＰＢＸ、構内交換装置
２４  ルータ
３  広域通信ネットワーク、インターネット
【図１】
2010041342.tif 000005
【図２】
2010041342.tif 000006
【図３】
2010041342.tif 000007
【図４】
2010041342.tif 000008
【図５】
2010041342.tif 000009
【図６】
2010041342.tif 000010